(57)【要約】【課題】切替器の切替動作に伴い生じる振動のハウジング側への伝播を抑制することにより静粛性を得ることができるエアマッサージ機を提供する。【解決手段】空気が給排気されることにより膨縮する空気袋と、空気袋に空気を給気可能なエアポンプ３１と、エアポンプ３１から空気袋に空気が給気される給気状態と該空気袋から前記空気が排気される排気状態とを切り替える電磁弁３２と、電磁弁３２を固定する板金部材３７と、板金部材３７とハウジング３０との間に介在して板金部材３７をハウジング３０との間に隙間を有した状態に支持することにより、電磁弁３２をハウジング３０から離間した位置状態に設置するゴム製のスペーサー部材３８とを備えた。【選択図】図４
2012223431.tif 000002
【特許請求の範囲】
【請求項１】
空気が給排気されることにより膨縮する空気袋と、
該空気袋に前記空気を給気可能なエアポンプと、
該エアポンプから前記空気袋に前記空気が給気される給気状態と該空気袋から前記空気が排気される排気状態とを切り替える切替器と、
該切替器を固定する固定部材と、
該固定部材とハウジングとの間に介在して前記固定部材を前記ハウジングとの間に隙間を有した状態に支持することにより、前記切替器を前記ハウジングから離間した位置状態に設置する弾性体と
を備えたことを特徴とするエアマッサージ機。
【請求項２】
前記固定部材には複数の前記切替器が固定されていることを特徴とする請求項１に記載のエアマッサージ機。
【請求項３】
前記エアポンプと前記切替器との間は可撓性を有した非直線状の給気路で接続されていることを特徴とする請求項１又は請求項２に記載のエアマッサージ機。
【請求項４】
前記切替器には電線が弛みを有した状態で接続されていることを特徴とする請求項１〜請求項３のうちいずれか一項に記載のエアマッサージ機。
【請求項５】
前記固定部材は、前記弾性体により支持される被支持部と、前記切替器を固定する固定部とを備え、該固定部と前記被支持部とは前記ハウジングに対する距離が異なることを特徴とする請求項１〜請求項４のうちいずれか一項に記載のエアマッサージ機。
【請求項６】
前記固定部材は弾性を有する板金部材からなることを特徴とする請求項１〜請求項５のうちいずれか一項に記載のエアマッサージ機。
【発明の詳細な説明】
【技術分野】
【０００１】
本発明は、空気の給排気に基づき空気袋を膨縮させて使用者に施療を行うエアマッサージ機に関する。
【背景技術】
【０００２】
従来、この種のエアマッサージ機として、例えば特許文献１に記載のエアマッサージ機が知られている。このエアマッサージ機では、エアポンプと空気袋との間を接続する空気の流路途中に切替弁（切替器）を設け、その切替弁の開閉動作（切替動作）を制御することにより、エアポンプから空気袋への給気状態と空気袋から大気への排気状態とが切り替わるように調整していた。
【先行技術文献】
【特許文献】
【０００３】
【特許文献１】特開２００６−２０４７６４号公報
【発明の概要】
【発明が解決しようとする課題】
【０００４】
ところで、従来のエアマッサージ機では、切替弁がエアマッサージ機の外郭を構成するハウジング上にボルト等の締結部材により固定されていた。
そのため、切替弁が開閉動作した際に切替弁において生じた振動が剛体構造の締結部材を介してハウジング側に伝播することによって不快な騒音を生じさせてしまうという問題があった。
【０００５】
本発明は、上記問題点に鑑みてなされたものであり、その目的は、切替器の切替動作に伴い生じる振動がハウジング側へ伝播することを抑制することにより静粛性を得ることができるエアマッサージ機を提供することにある。
【課題を解決するための手段】
【０００６】
上記目的を達成するために、本発明のエアマッサージ機は、空気が給排気されることにより膨縮する空気袋と、該空気袋に前記空気を給気可能なエアポンプと、該エアポンプから前記空気袋に前記空気が給気される給気状態と該空気袋から前記空気が排気される排気状態とを切り替える切替器と、該切替器を固定する固定部材と、該固定部材とハウジングとの間に介在して前記固定部材を前記ハウジングとの間に隙間を有した状態に支持することにより、前記切替器を前記ハウジングから離間した位置状態に設置する弾性体とを備えたことを特徴とする。
【０００７】
また、本発明のエアマッサージ機において、前記固定部材には複数の前記切替器が固定されていることが好ましい。
また、本発明のエアマッサージ機において、前記エアポンプと前記切替器との間は可撓性を有した非直線状の給気路で接続されていることが好ましい。
【０００８】
また、本発明のエアマッサージ機において、前記切替器には電線が弛みを有した状態で接続されていることが好ましい。
また、本発明のエアマッサージ機において、前記固定部材は、前記弾性体により支持される被支持部と、前記切替器を固定する固定部とを備え、該固定部と前記被支持部とは前記ハウジングに対する距離が異なることが好ましい。
【０００９】
また、本発明のエアマッサージ機において、前記固定部材は弾性を有する板金部材からなることが好ましい。
【発明の効果】
【００１０】
本発明によれば、切替器の切替動作に伴い生じる振動がハウジング側へ伝播することを抑制することにより静粛性を得ることができる。
【図面の簡単な説明】
【００１１】
【図１】本発明に係る実施形態のエアマッサージ機を装備したマッサージ椅子の斜視図。
【図２】エアマッサージ機における給排気ユニットの外観斜視図。
【図３】給排気ユニットの内部の斜視図。
【図４】給排気ユニットにおける要部の斜視図。
【図５】給排気ユニットにおける要部の一部破断正面図。
【図６】変形例の給排気ユニットにおける要部の斜視図。
【発明を実施するための形態】
【００１２】
以下、本発明をマッサージ椅子が装備するエアマッサージ機に具体化した一実施形態を図１〜図５を参照しながら説明する。
図１に示すように、本実施形態のマッサージ椅子１０は、図示しない床面上等に載置されるボックス状の脚部１１を備え、その脚部１１の上部には使用者が着座可能な座部１２が固定されている。また、座部１２の後側には、使用者が背中をもたれ掛けさせるための背もたれ部１３が傾動可能に設けられる一方、座部１２の前側には、使用者が脚を載せることができるオットマン１４が設けられている。そして、座部１２の両側には、使用者が腕を置くための左右一対の肘掛け部１５が背もたれ部１３から座部１２の前方にかけて設けられている。
【００１３】
背もたれ部１３は、その全体がカバー１６で覆われたものであり、そのカバー１６内には、使用者に対して機械的なマッサージを行うマッサージ機構１７が上下方向に往復移動可能に組み込まれている。このマッサージ機構１７には、駆動モータ（図示略）が動力伝達可能に連結されており、この駆動モータの駆動力によりマッサージ機構１７の上下動や該マッサージ機構１７に備えられる一対の施療子１７ａの所定施療動作が行われるようになっている。すなわち、一対の施療子１７ａは、その所定施療動作により、カバー１６の内面と摺接しつつ、使用者の肩や腰、背中といった各施療部位に対し、カバー１６越しに揉みや擦り、叩きなどの各種マッサージを施すようになっている。
【００１４】
また、本実施形態のマッサージ椅子１０には、使用者の施療部位を圧迫するために付与される空気圧を変化させて使用者に施療を行うエアマッサージ機２０が設けられている。図１に示すように、このエアマッサージ機２０は、マッサージ椅子１０における脚部１１の内部に設けられた給排気ユニット２１と、この給排気ユニット２１と給排気ホース２２により接続された状態でマッサージ椅子１０の各所に設けられる複数の空気袋２３（図１にはオットマン１４と肘掛け部１５の下部にそれぞれ図示）とから構成されている。尚、空気袋２３は必要に応じて、背もたれ部１３や座部１２の表面に設けてもよい。
【００１５】
図２及び図３に示すように、給排気ユニット２１は、下側ハウジング３０ａと上側ハウジング３０ｂとで形成される直方体形状のハウジング３０を備えている。そして、このハウジング３０の内部に、前記空気袋２３に空気を給気する際に駆動されるエアポンプ３１と、エアポンプ３１と空気袋２３との間を接続する通気路６０の途中で弁切替動作する複数（本実施形態では２つ）の切替器としての電磁弁３２と、エアポンプ３１及び電磁弁３２を制御する制御基板３３とが収納されている。
【００１６】
なお、通気路６０は、エアポンプ３１と電磁弁３２との間を接続する給気路５２と、電磁弁３２と空気袋２３との間を接続する前述した給排気ホース２２とからなる。また、電磁弁３２は、弁体（図示略）が給気路５２と給排気ホース２２とを連通させる給気用弁状態と、給気路５２と給排気ホース２２とを非連通にする一方で給排気ホース２２を大気に連通させる排気用弁状態との間で弁切替動作する三方電磁弁によって構成されている。そして、電磁弁３２は、制御基板３３の制御に基づき弁切替動作することにより、エアポンプ３１から通気路６０を介して空気袋２３に空気が給気される給気状態と、空気袋２３から給排気ホース２２を介して大気中に空気が排気される排気状態とを切り替えるようになっている。また、制御基板３３には、図示しない商用電源（１００Ｖ）に接続される電源接続部３４が設けられている。そして、この電源接続部３４を介して商用電源から供給された電力の電圧を例えば１５Ｖ程度に変圧する変圧器３５が、制御基板３３と共に、ハウジング３０における下側ハウジング３０ａの内面上に設置されている。
【００１７】
図３及び図４に示すように、エアポンプ３１は下側ハウジング３０ａの内面上において制御基板３３の側方に設置され、エアポンプ３１と制御基板３３との間には通信線３６が弛みを持たせた状態で配線されている。そして、エアポンプ３１は、この通信線３６を介して制御基板３３から送信される制御信号に基づき、空気の給排気を行うポンプ駆動状態が制御されるようになっている。また、下側ハウジング３０ａの内面上においてエアポンプ３１及び制御基板３３の双方に対する側方となる位置には、電磁弁３２を載置して固定する固定部材としての板金部材３７が、弾性体の一例であるゴム製のスペーサー部材３８を介して支持されている。
【００１８】
図４及び図５に示すように、板金部材３７は、金属製の帯状板片における長手方向での４箇所が略直角に折り曲げられた屈曲形状をしている。すなわち、板金部材３７は、その長手方向での一端側寄り及び他端側寄りの２箇所が板片の一面側（図５では上面側）へ各々略直角に折り曲げられた一対の内曲げ部３９として形成されるとともに、各内曲げ部３９と板片の各端部との間の２箇所が板片の他面側へ各々略直角に折り曲げられた一対の外曲げ部４０として形成されている。そして、板金部材３７は、各外曲げ部４０と板片の各端部との間となる部位がスペーサー部材３８によって支持される被支持部４１とされる一方、長手方向で両内曲げ部３９の間となる部位が２つの電磁弁３２を横並びに載置した状態で固定する固定部４２とされている。
【００１９】
図５に示すように、板金部材３７における各被支持部４１には支持孔４３がバーリング加工によりそれぞれ形成されるとともに、下側ハウジング３０ａにおける板金部材３７の支持領域内で各支持孔４３と対応する位置には取付孔４４がそれぞれ形成されている。そして、下側ハウジング３０ａの各取付孔４４に対してスペーサー部材３８の下端側部分が挿入されるとともに、板金部材３７における各支持孔４３に対してスペーサー部材３８の上端側部分が挿入されるようになっている。
【００２０】
図５に示すように、スペーサー部材３８は、板金部材３７の支持孔４３及び下側ハウジング３０ａの取付孔４４よりも小径の棒状部４５と、その棒状部４５における長手方向の４箇所に支持孔４３及び取付孔４４よりも大径に各々形成された鍔状部４６〜４９とを備えている。４つの鍔状部４６〜４９のうち、棒状部４５の長手方向で最も一端側（図５では下端側）に形成された鍔状部４６は、下側ハウジング３０ａの取付孔４４に内面（図５では上面）側から挿入された場合に、その形状が弾性変形して取付孔４４を外面側に通過するようになっている。そして、この最も一端側の鍔状部４６と、これに下側ハウジング３０ａの厚さに相当する距離をおいて隣接する鍔状部４７とで、下側ハウジング３０ａにおける取付孔４４の周囲を挟持することにより、スペーサー部材３８は、下側ハウジング３０ａの内面上に立設されるようになっている。
【００２１】
一方、４つの鍔状部４６〜４９のうち、棒状部４５の長手方向で最も他端側（図５では上端側）に形成された鍔状部４９は、板金部材３７の支持孔４３に裏面（図５では下面）側から挿入された場合に、その形状が弾性変形して支持孔４３を表面側に通過するようになっている。そして、この最も他端側の鍔状部４９と、これに板金部材３７における支持孔４３の形成部分の厚さに相当する距離をおいて隣接する鍔状部４８とで、板金部材３７における支持孔４３の周囲を挟持することにより、スペーサー部材３８は、板金部材３７を下側ハウジング３０ａから離間した位置状態に支持するようになっている。すなわち、スペーサー部材３８は、板金部材３７と下側ハウジング３０ａとの間に隙間Ｓを形成するように介在することにより、板金部材３７を下側ハウジング３０ａから離間した位置状態に支持するようになっている。
【００２２】
また、図４及び図５に示すように、板金部材３７の固定部４２上に横並びに載置された２つの電磁弁３２は、各々の筐体下部から水平方向に突設された突片部３２ａがねじ部材５０によって固定部４２に締め付け固定されることにより、板金部材３７上に固定されている。そして、既述したように、スペーサー部材３８により板金部材３７が下側ハウジング３０ａから離間した位置状態に支持される結果、この板金部材３７上に載置された状態で固定されている電磁弁３２も、同様に、下側ハウジング３０ａから離間した位置状態でハウジング３０内に設置されることになる。なお、各電磁弁３２と制御基板３３との間には電源供給用の電線５１が弛みを持たせた状態で配線されている。
【００２３】
さらに、図５に示すように、下側ハウジング３０ａに対して板金部材３７がスペーサー部材３８を介して支持された状態となった場合に、その板金部材３７においては、被支持部４１と固定部４２とが下側ハウジング３０ａからの各々の距離Ｌ１，Ｌ２が異なるようになる。すなわち、下側ハウジング３０ａに対して固定部４２と被支持部４１とが、そのような距離差（Ｌ１＞Ｌ２）のある位置関係となるように、板金部材３７における内曲げ部３９及び外曲げ部４０が形成されている。具体的には、下側ハウジング３０ａに対する距離では、固定部４２の距離Ｌ２の方が被支持部４１の距離Ｌ１よりも短くなるように、内曲げ部３９と外曲げ部４０が形成されている。そして、このように内曲げ部３９及び外曲げ部４０を形成することにより、下側ハウジング３０ａに上側ハウジング３０ｂを組み付けた場合において、固定部４２上に固定された電磁弁３２の上部が上側ハウジング３０ｂに当接しないようになっている。また、弾性を有する帯状板片の板金部材３７に対して、このような内曲げ部３９及び外曲げ部４０を形成したことにより、板金部材３７が捩れ方向に変形することを抑制する効果も期待できる。
【００２４】
また、図４に示すように、下側ハウジング３０ａ上において、エアポンプ３１と電磁弁３２との間は、可撓性を有した非直線状の給気路５２により接続されている。より詳しくは、エアポンプ３１の側壁から突設された第１ホース接続口５３には弾性を有する第１ホース５４の一端が接続され、第１ホース５４は、その他端側が板金部材３７の長手方向に沿うように延設されている。一方、電磁弁３２のマニホールド５５に形成された第２ホース接続口５６には弾性を有する第２ホース５７の一端が接続され、第２ホース５７は、その他端側が板金部材３７の短手方向に沿うように延設されている。そして、これらの第１ホース５４と第２ホース５７の他端同士がＬ型パイプ状のジョイント部材５８を介して略直角に交差する態様で接続されている。
【００２５】
尚、ジョイント部材５８は、第１ホース５４及び第２ホース５７よりも剛性の高い材質で構成されている。そして、本実施形態では、これらの第１ホース５４、Ｌ型パイプ状のジョイント部材５８、及び第２ホース５７により、エアポンプ３１のポンプ駆動に基づき吐出された圧縮空気を電磁弁３２のマニホールド５５に向けて流動させる前述した給気路５２が構成されている。また、電磁弁３２のマニホールド５５には、前記第２ホース接続口５６とは別の第３ホース接続口５９が設けられ、この第３ホース接続口５９に対して空気袋２３に一端が接続された前記給排気ホース２２の他端が接続されている。
【００２６】
そこで次に、以上のように構成されたエアマッサージ機２０の作用に関し、特に空気袋２３を膨縮（膨張及び収縮）させて使用者に施療を行う場合の給排気ユニット２１の作用に着目して以下説明する。
【００２７】
さて、マッサージ椅子１０の座部１２に使用者が着座し、その脚部をオットマン１４に載せると共に、その腕を肘掛け部１５に置いた状態で、図示しない操作パネルを操作して給排気ユニット２１のエアポンプ３１をポンプ駆動させると共に電磁弁３２の弁切替動作を反復させると、空気袋２３が膨張動作と収縮動作とを反復するようになる。すなわち、電磁弁３２が、エアポンプ３１から通気路６０を介して空気袋２３に空気が給気される給気状態と、空気袋２３から給排気ホース２２を介して大気中に空気が排気される排気状態とを切り替えるための弁切替動作を反復し、空気袋２３に対する空気の供給と空気袋２３からの空気の排気とが反復して行われるようになる。そのため、使用者の施療部位を圧迫する空気袋２３の空気圧が変化し、使用者の脚部及び腕にマッサージが施されるようになる。
【００２８】
この場合、電磁弁３２は給気用弁状態と排気用弁状態との弁切替動作を繰り返すので、その動作切り替えに伴い振動を生じてしまう。こうした振動が電磁弁３２を設置したハウジング３０側に伝播すると、大きな騒音となってハウジング３０の外部に漏れてしまい、ひいてはマッサージ椅子１０の使用者に不快感を与えてしまうことになるが、本実施形態では、次のような理由により不快な騒音が抑制されることになる。
【００２９】
すなわち、電磁弁３２が下側ハウジング３０ａに対して直に固定されている場合には、電磁弁３２で生じた振動がハウジング３０側に直接的に伝播して騒音を生み出してしまうのに対し、本実施形態では、下側ハウジング３０ａに対して弾性体であるスペーサー部材３８を介して支持された板金部材３７に電磁弁３２は固定されている。そのため、電磁弁３２において生じた振動は、下側ハウジング３０ａに伝播する前段階で、まず、それ自身が弾性を有する金属製の板金部材３７により幾分かは吸収されて減衰し、その次に、板金部材３７と下側ハウジング３０ａとの間に介在するゴム製のスペーサー部材３８によって更に吸収されて減衰する。その結果、電磁弁３２からハウジング３０側に振動が伝播することが効率良く抑制される。
【００３０】
しかも、スペーサー部材３８が介在することによって、板金部材３７と下側ハウジング３０ａとの間には隙間Ｓが形成されているため、電磁弁３２の振動を吸収してスペーサー部材３８が振動することで板金部材３７が変位したような場合にも、板金部材３７が下側ハウジング３０ａに摺接して騒音を生じるようなことはない。さらに、その場合において、制御基板３３と電磁弁３２との間に配設されている電線５１も弛みを持って配線されているため、断線の虞が低減される。
【００３１】
また、空気袋２３に空気を給気する際にポンプ駆動するエアポンプ３１からは、そのポンプ駆動に伴い生じる振動が給気路５２を構成するホース５４，５７等を介して電磁弁３２に伝播して共振現象を生じさせ、電磁弁３２の振動を大きくしてしまう虞があるが、本実施形態では、次のような理由により共振現象が抑制されることになる。
【００３２】
すなわち、エアポンプ３１と電磁弁３２との間を接続する給気路５２が、弾性を有する第１ホース５４と第２ホース５７、及び両ホース５４，５７を接続するＬ型パイプ状のジョイント部材５８にて可撓性を有した非直線状の給気路に形成されているため、給気路の長さ方向及びこれと直交する径方向の双方向の振動成分が良好に吸収される。その結果、エアポンプ３１において振動が発生しても、その振動が給気路５２を介して電磁弁３２に伝播することが抑制され、電磁弁３２において共振現象が生じることが抑制される。
【００３３】
また、給排気ユニット２１において複数個（この場合は２個）の電磁弁３２を設置する場合、下側ハウジング３０ａに対して取付前の板金部材３７の固定部４２に各電磁弁３２を横並びに固定する作業を終えた後、そのように複数個（２個）の電磁弁３２を固定済みの板金部材３７を下側ハウジング３０ａに対して取り付けることになる。すなわち、予め作業性の良い環境で複数個の電磁弁３２を板金部材３７に固定した後、１回の取付作業で下側ハウジング３０ａに対して複数個の電磁弁３２の設置作業が完了することになる。
【００３４】
本実施形態のエアマッサージ機２０によれば、以下のような効果を得ることができる。
（１）エアポンプ３１から空気袋２３に空気が給気される給気状態と、空気袋２３から空気が排気される排気状態とを切り替えるために電磁弁３２を弁切替動作させた場合に電磁弁３２において生じた振動がハウジング３０側へ伝播することを、電磁弁３２が固定された板金部材３７と下側ハウジング３０ａとの間に介在するゴム製のスペーサー部材３８により減衰させることができる。そのため、エアマッサージ機２０においては、電磁弁（切替器）３２の切替動作に伴い生じる振動のハウジング３０側への伝播を抑制することにより静粛性を得ることができる。
【００３５】
（２）しかも、電磁弁３２を固定した状態でスペーサー部材３８を介して下側ハウジング３０ａに支持される固定部材も、それ自身が弾性を有する金属製板片からなる板金部材３７であるので、電磁弁３２に生じた振動を板金部材３７においても吸収して減衰させることができ、より一層、電磁弁３２からハウジング３０側への振動の伝播を抑制できる。
【００３６】
（３）ゴム製のスペーサー部材３８により下側ハウジング３０ａに支持された板金部材３７上に固定されている電磁弁３２が振動することに伴い、板金部材３７が変位動作したとしても、その板金部材３７はスペーサー部材３８が介在することで下側ハウジング３０ａとの間に隙間Ｓを有した状態で変位動作することになる。したがって、下側ハウジング３０ａと摺接することもないので、不快な騒音を発生することもない。
【００３７】
（４）また、そのように電磁弁３２を固定した板金部材３７が電磁弁３２の振動に伴い変位動作した場合にも、電磁弁３２と制御基板３３との間に接続されている電線５１は、その配線形態に弛みを持たされているので、断線の虞を低減することができる。
【００３８】
（５）ハウジング３０内に電磁弁３２を設置する場合には、予め作業性の良い環境下で板金部材３７に対して電磁弁３２を固定する作業をした後に、その電磁弁３２を固定済みの板金部材３７を下側ハウジング３０ａにスペーサー部材３８を介して取り付けるだけでよいので、電磁弁３２の設置作業を容易に行うことができる。特に、複数個の電磁弁３２を設置する場合には、その作業効率が向上する。
【００３９】
（６）板金部材３７は、電磁弁３２を固定する固定部４２の方が、スペーサー部材３８により支持される被支持部４１よりも、下側ハウジング３０ａに対する距離が小さくなるように折り曲げ形成されているので、ハウジング３０内に電磁弁３２を設置した場合に、板金部材３７上の電磁弁３２が上側ハウジング３０ｂに当接することを回避できる。すなわち、ハウジング３０の小型化に貢献できると共に、上側ハウジング３０ｂに対して無用な変形加工をする必要もなくなる。
【００４０】
（７）また、電磁弁３２を固定する板金部材３７は、長手方向の複数箇所に短手方向に沿う折曲げ部（内曲げ部３９、外曲げ部４０）が形成されているので、それらの折曲げ部により帯状板片の板金部材３７の剛性を強化することができる。
【００４１】
（８）ポンプ駆動に伴いエアポンプ３１において発生した振動がホース５４，５７などからなる給気路５２を介して電磁弁３２に伝播しようとしても、そのような振動は可撓性を有した非直線状の給気路５２により給気路の長さ方向及び径方向の振動成分を吸収して伝播することを抑制できる。そのため、エアポンプ３１から伝播する振動によって電磁弁３２が共振現象を生じることを抑制できる。
【００４２】
なお、上記実施形態は、以下のような別の実施形態に変更してもよい。
・図６に示すように、エアポンプ３１を下側ハウジング３０ａとの間にゴム製のスペーサー部材３８を介在させて下側ハウジング３０ａ上に設置し、そのエアポンプ３１の上面に電磁弁３２をねじ部材５０で締め付け固定してもよい。このように構成した場合にも、電磁弁３２で生じた振動を、下側ハウジング３０ａに伝播する前段階でエアポンプ３１と下側ハウジング３０ａとの間に介在するゴム製のスペーサー部材３８により減衰させることができる。
【００４３】
・上記実施形態において、電磁弁３２を固定する固定部材は、弾性を有する金属製板片の板金部材３７ではなく、弾性を有しない部材であってもよい。
・上記実施形態において、板金部材３７は内曲げ部３９や外曲げ部４０のある屈曲形状のものに限らず、平板状の板金部材３７であってもよい。すなわち、板金部材３７は、固定部４２及び被支持部４１が、下側ハウジング３０ａに対する距離Ｌ１，Ｌ２を同じとする位置関係にあってもよい。
【００４４】
・上記実施形態において、板金部材３７上に固定される電磁弁３２の個数は、２個以外に１個でもよく、３個以上の複数個であってもよい。
・上記実施形態において、エアポンプ３１と電磁弁３２との間を接続する空気の給気路５２は、可撓性を有する螺旋状ホースを使用することにより非直線状に構成してもよい。
【００４５】
・上記実施形態において、エアポンプ３１と電磁弁３２との間を接続する空気の給気路５２は、可撓性を有しない剛体のパイプからなるものでもよい。
・上記実施形態において、エアポンプ３１と電磁弁３２との間を接続する空気の給気路５２は、エアポンプ３１と電磁弁３２との間を非直線状ではなく直線状に延びて接続するものであってもよい。
【００４６】
・上記実施形態において、弾性体としてのゴム製のスペーサー部材３８の形状は、実施形態に示す形状以外でもよい。要するに、固定部材としての板金部材３７と下側ハウジング３０ａとの間に隙間Ｓを形成するように介在して、板金部材３７及びこれに固定された電磁弁３２を下側ハウジング３０ａから離間した位置状態にできるものならば適用することができる。
【００４７】
・上記実施形態において、弾性体は、ゴム製の部材に限らず、ばね部材やスポンジ部材などでもよい。要するに、電磁弁（切替器）３２を固定する板金部材（固定部材）３７よりも低い弾性率の弾性を有して板金部材３７と下側ハウジング３０ａとの間に介在できる部材であればよい。
【００４８】
・上記実施形態において、通気路６０の途中に三方電磁弁からなる電磁弁３２を設ける代わりに通気路を開閉する第１開閉弁を設けると共に、これとは別に空気袋２３から空気を排気させる際に開放される第２開閉弁を更に設け、これらの第１開閉弁と第２開閉弁とからなる切替器の開閉動作を制御することにより空気袋２３の給排気を行ってもよい。
【００４９】
・上記実施形態では、マッサージ椅子１０でのエアマッサージ機２０に具体化したが、マッサージ機能付きベッドなどマッサージ椅子以外の健康器具におけるエアマッサージ機に具体化してもよい。また、エアマッサージ機２０が単体扱いで使用者に把持されて使用される健康器具に適用してもよい。
【符号の説明】
【００５０】
２０…エアマッサージ機、２３…空気袋、３０，３０ａ，３０ｂ…ハウジング、３１…エアポンプ、３２…電磁弁（切替器）、３７…板金部材（固定部材）、３８…スペーサー部材（弾性体）、４１…被支持部、４２…固定部、５１…電線、５２…給気路、Ｌ１，Ｌ２…距離、Ｓ…隙間。
【図１】
2012223431.tif 000003
【図２】
2012223431.tif 000004
【図３】
2012223431.tif 000005
【図４】
2012223431.tif 000006
【図５】
2012223431.tif 000007
【図６】
2012223431.tif 000008